(57)【特許請求の範囲】
【請求項１】
表面にメッキ加工が施された遊技機の構造物に対して、支持部材を介して、基板に実装される電子部品を取り付ける遊技機の電子部品取付構造であって、
前記構造物は、
前方に配置される前壁部と、
前記前壁部から背後に向かって延設される側壁部とを具備し、
前記支持部材は、
非導電性を有し、
前記電子部品を前記基板の背後から覆うように支持し、
前記前壁部の裏面のうち前記側壁部の裏面側に取り付けられるものであって、前記側壁部と接触せず、
前記支持部材の支持によって、前記基板及び前記電子部品が前記構造物と接触しないことを特徴とする遊技機の電子部品取付構造。
【請求項２】
表面にメッキ加工が施された遊技機の構造物に対して、支持部材を介して、基板に実装される電子部品を取り付ける遊技機の電子部品取付構造であって、
前記構造物は、
前方に配置される前壁部と、
前記前壁部から背後に向かって延設される側壁部とを具備し、
前記支持部材は、
非導電性を有し、
前記電子部品を前記基板の背後から覆うように支持し、
前記側壁部の裏面のうち前記前壁部の近傍部分に取り付けられるものであって、前記側壁部の裏面との取り付け箇所以外が前記側壁部と接触せず、
前記支持部材の支持によって、前記基板及び前記電子部品が前記構造物と接触しないことを特徴とする遊技機の電子部品取付構造。
【発明の詳細な説明】
【技術分野】
【０００１】
本発明は、遊技機の電子部品取付構造に関し、より詳細には、遊技機の構造物に取り付けられた電子部品に電気的ノイズが伝達されるのを防止するための技術に関する。
【背景技術】
【０００２】
従来、表面にメッキ加工が施された遊技機の構造物に対して、電子部品を取り付ける取付構造の技術は公知となっている。例えば、特許文献１に記載の如くである。
【０００３】
特許文献１に記載の技術は、遊技盤に設けられ、メッキ加工が施された役物（構造物）に対してプリント基板（電子部品）を取り付ける際に、当該役物とプリント基板との間に絶縁シートを挟みこむように取り付ける技術である。
【０００４】
このように構成することにより、役物に遊技球が衝突することにより発生した静電気（電気的ノイズ）がプリント基板に伝達され難くなり、ひいては当該プリント基板の誤作動や故障の発生を抑制することができる。
【先行技術文献】
【特許文献】
【０００５】
【特許文献１】特開２０１０−１４２３４１号公報
【発明の概要】
【発明が解決しようとする課題】
【０００６】
しかしながら、特許文献１に記載の技術においては、役物からプリント基板への電気的ノイズの伝達を遮断するものは薄い絶縁シートのみである。このため、強力な電気的ノイズが役物に発生した場合、当該電気的ノイズが薄い絶縁シートを超えてプリント基板まで伝達され、当該プリント基板に搭載された部品に誤作動や故障が発生するおそれがあるという問題点があった。
【０００７】
本発明は上記のような問題点に鑑みてなされたものであり、その解決しようとする課題は、電子部品の誤作動や故障の発生を防止することができる遊技機の電子部品取付構造を提供することである。
【課題を解決するための手段】
【０００８】
本発明の解決しようとする課題は以上の如くであり、次にこの課題を解決するための手段を説明する。
【０００９】
即ち、請求項１においては、表面にメッキ加工が施された遊技機の構造物に対して、支持部材を介して、基板に実装される電子部品を取り付ける遊技機の電子部品取付構造であって、前記構造物は、前方に配置される前壁部と、前記前壁部から背後に向かって延設される側壁部とを具備し、前記支持部材は、非導電性を有し、前記電子部品を前記基板の背後から覆うように支持し、前記前壁部の裏面のうち前記側壁部の裏面側に取り付けられるものであって、前記側壁部と接触せず、前記支持部材の支持によって、前記基板及び前記電子部品が前記構造物と接触しないものである。
また、請求項２においては、表面にメッキ加工が施された遊技機の構造物に対して、支持部材を介して、基板に実装される電子部品を取り付ける遊技機の電子部品取付構造であって、前記構造物は、前方に配置される前壁部と、前記前壁部から背後に向かって延設される側壁部とを具備し、前記支持部材は、非導電性を有し、前記電子部品を前記基板の背後から覆うように支持し、前記側壁部の裏面のうち前記前壁部の近傍部分に取り付けられるものであって、前記側壁部の裏面との取り付け箇所以外が前記側壁部と接触せず、前記支持部材の支持によって、前記基板及び前記電子部品が前記構造物と接触しないものである。
【発明の効果】
【００１０】
本発明の効果として、以下に示すような効果を奏する。
【００１１】
請求項１においては、外部から構造物に静電気などのノイズが伝わった場合であっても、当該構造物から電子部品までのノイズの伝達経路を長くすることができる。これによって、電子部品にノイズを伝え難くすることができ、ひいては電子部品の誤作動や故障の発生を防止することができる。
【図面の簡単な説明】
【００１２】
【図１】役物を備える遊技機の全体的な構成を示した正面図。
【図２】同じく、遊技機の窓枠が開放された状態の構成を示した正面斜視図。
【図３】同じく、遊技盤の構成を示した正面図。
【図４】第一実施形態に係る役物の図３におけるＡ−Ａ断面図。
【図５】役物の変形例を示す断面図。
【図６】支持部材の変形例を示す断面図。
【図７】第二実施形態に係る役物の図３におけるＡ−Ａ断面図。
【発明を実施するための形態】
【００１３】
まず、本発明に係る構造物の一実施形態である役物１００を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１及び図２が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１７】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００１８】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１９】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２０】
次に、遊技盤５の構成について、図３を用いてさらに詳細に説明する。
【００２１】
遊技盤５には、ガイドレール１０と、図柄表示装置１１と、図柄表示開口部１２と、一般入賞口１３と、大入賞装置１４と、可変入賞装置１５と、アウト口１６と、役物１００と、が設けられる。
【００２２】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２３】
図柄表示装置１１は、液晶画面２０を設けて、当該液晶画面２０に図柄や数字等を変動表示可能に構成される装置である。図柄表示装置１１の液晶画面２０は、後述する図柄表示開口部１２に配置される。
【００２４】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２５】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２６】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２７】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２８】
次に、役物１００の構成および本発明に係る電子部品取付構造の第一実施形態について、図３および図４を用いて詳細に説明する。
【００２９】
役物１００は、その外観により遊技盤５を装飾するとともに、発光可能に構成されて遊技者の興趣を高める部材である。役物１００は、正面視で遊技領域５の概ね中央で、遊技盤５を前後方向に貫通した開口部に配設される。役物１００の中央には、前後方向に貫通した図柄表示開口部１２が設けられる。図柄表示開口部１２には、図柄表示装置１１の液晶画面２０が配置される。役物１００は、遊技領域１９を転動する遊技球が衝突可能に配置される。
役物１００には、支持部材１１０を介して電子部品１２０が取り付けられる（図４参照）。
【００３０】
以下では、図４を用いて、役物１００に対して、支持部材１１０を介して電子部品１２０を取り付ける取付構造について説明する。
【００３１】
構造物としての役物１００は、非導電性の材料により形成される。役物１００は、前壁部１０１と、一対の側壁部１０２・１０２と、により構成される。
【００３２】
前壁部１０１は板状の部分であり、その板面を前後方向に向けて配置される。前壁部１０１の前側面には、図柄や文字等が適宜描かれて遊技盤５を装飾している。
【００３３】
一対の側壁部１０２・１０２は板状の部分であり、その板面を左右方向に向けて配置される。一対の側壁部１０２・１０２は、前壁部１０１の左端部および右端部にそれぞれ設けられ、当該前壁部１０１から背後（後方）に向かってそれぞれ延設される。
【００３４】
上述の前壁部１０１および一対の側壁部１０２・１０２は一体的に（一部材として）形成され、役物１００を構成する。上述の如く構成することで、役物１００は、平面断面視（図４）略コ字状（Ｕ字状）となるように形成される。
【００３５】
また、役物１００の表面にはメッキ加工が施される。ここで役物１００の表面とは、当該役物１００を構成する面のうち、当該役物１００が遊技機１に取り付けられた際に遊技者から視認され得る面および遊技領域１９に面している面を指すものである。本実施形態においては、前壁部１０１の前側面および一対の側壁部１０２・１０２の外側面（左側の側壁部１０２の左側面および右側の側壁部１０２の右側面）にはメッキ加工が施され、メッキ材１０３により被覆される。
一方、本実施形態においては、役物１００の裏面にはメッキ加工が施されない。ここで役物１００の裏面とは、当該役物１００を構成する面のうち、上述の役物１００の表面以外の面を指すものである。なお、メッキ加工が施される役物１００の面は、役物１００の表面に限定するものではなく、役物１００の裏面にメッキ加工が施されてもよい。
当該メッキ加工は役物１００の外観を美しく見せるためのものである。本実施形態に係る役物１００には、導電性を有する硬質金メッキ等を用いた貴金属メッキ加工が施される。
【００３６】
支持部材１１０は、非導電性の材料により形成される。支持部材１１０は、構造物側固定部１１１・１１１と、足部１１２・１１２と、電子部品側固定部１１３と、により構成される。
【００３７】
構造物側固定部１１１・１１１は板状の部分であり、その板面を前後方向に向けて配置される。構造物側固定部１１１・１１１は、一対の側壁部１０２・１０２のすぐ内側（左側の側壁部１０２のすぐ右側および右側の側壁部１０２のすぐ左側）、すなわち一対の側壁部１０２・１０２の裏面側において、ビス１３０・１３０により前壁部１０１の裏面にそれぞれ固定される。
【００３８】
足部１１２・１１２は板状の部分であり、その板面を左右方向に向けて配置される。足部１１２・１１２の一端（前端）は構造物側固定部１１１・１１１にそれぞれ固定され、他端（後端）はそれぞれ背後（後方）に向かって延設される。より詳細には、足部１１２・１１２の他端（後端）は、前後方向において一対の側壁部１０２・１０２の後端と略同一位置まで延設される。この際、足部１１２・１１２は役物１００と接触することのないように配置される。
【００３９】
電子部品側固定部１１３は板状の部分であり、その板面を前後方向に向けて配置される。電子部品側固定部１１３の両端（左端および右端）は、それぞれ足部１１２・１１２の他端（後端）に固定される。この際、電子部品側固定部１１３は役物１００と接触することのないように配置される。また、電子部品側固定部１１３は、その前後方向位置が、役物１００の一対の側壁部１０２・１０２の後端と同一位置となるように配置される。電子部品側固定部１１３の前側面には、所定間隔をおいて複数のボス部１１３ａ・１１３ａ・・・が形成される。
【００４０】
上述の構造物側固定部１１１・１１１、足部１１２・１１２および電子部品側固定部１１３は一体的に（一部材として）形成され、支持部材１１０を構成する。
【００４１】
電子部品１２０は、図示しない発行ダイオード（ＬＥＤ）を実装したプリント基板である。電子部品１２０は、その板面を前後方向に向けて配置される。電子部品１２０は、支持部材１１０の電子部品側固定部１１３の前方からビス１３０・１３０・・・により当該電子部品側固定部１１３のボス部１１３ａ・１１３ａ・・・に固定される。このようにして、電子部品１２０は、電子部品側固定部１１３の前方かつ足部１１２・１１２の間に配置される。より詳細には、電子部品１２０は、前壁部１０１のうち、一対の側壁部１０２・１０２の裏面側（内側）に位置する部分の背後に配置されることになる。
【００４２】
上述の如く構成することで、電子部品１２０は、支持部材１１０を介して役物１００に取り付けられる。当該電子部品１２０に実装されたＬＥＤを点灯させることで、役物１００を内側から光らせて（発光可能に構成させて）遊技者の興趣を高めることができる。
【００４３】
以下では、上述の如く電子部品１２０が取り付けられた役物１００のメッキ材１０３に電気的なノイズが発生した場合について説明する。
【００４４】
遊技球が役物１００（より詳細には、メッキ材１０３）に繰り返し衝突すると、当該役物１００に静電気などの電気的なノイズが発生する場合がある。当該ノイズが電子部品１２０に伝達されると、当該電子部品１２０の誤作動や故障が発生するおそれがある。
【００４５】
しかしながら、本実施形態においては、役物１００と電子部品１２０とは支持部材１１０を介して接続されている。当該支持部材１１０は非導電性の部材であり、電気的なノイズが伝達され難い。さらに、役物１００において発生したノイズが電子部品１２０に伝達されるには、支持部材１１０の構造物側固定部１１１・１１１、足部１１２・１１２および電子部品側固定部１１３という長い経路を順に伝達される必要があるため、当該ノイズは電子部品１２０に伝達され難い。特に、足部１１２・１１２の前後方向長さを長くすれば、当該ノイズをより伝達され難くすることができる。これによって、当該電子部品１２０の誤作動や故障の発生を防止することができる。
【００４６】
また、本実施形態においては、電子部品１２０および支持部材１１０は、役物１００により形成される凹状の空間（前壁部１０１の背後であって、一対の側壁部１０２・１０２の間の空間）に配置される。したがって、上述の如く役物１００から電子部品１２０までのノイズの伝達経路を長く確保しながらも、電子部品１２０を取り付けた状態の役物１００全体をコンパクトに構成することができる。
【００４７】
以上の如く、本実施形態に係る遊技機１の電子部品取付構造は、
表面にメッキ加工が施された遊技機１の役物１００（構造物）に対して、支持部材１１０を介して電子部品１２０を取り付ける遊技機１の電子部品取付構造であって、
役物１００は、
前方に配置される前壁部１０１と、
前壁部１０１から背後に向かって延設される側壁部１０２・１０２と、
を具備し、
支持部材１１０は、
前壁部１０１の裏面のうち側壁部１０２・１０２の裏面側に固定される非導電性の構造物側固定部１１１・１１１と、
役物１００と接触することなく、その一端を構造物側固定部１１１・１１１に固定され、その他端を背後に向かって延設される非導電性の足部１１２・１１２と、
役物１００と接触することなく、足部１１２・１１２の他端側に固定され、電子部品１２０を前壁部１０１の裏面のうち側壁部１０２・１０２の裏面側に位置する部分の背後において支持する非導電性の電子部品側固定部１１３と、
を具備するものである。
【００４８】
このように構成することにより、外部から役物１００に静電気などのノイズが伝わった場合であっても、当該役物１００から電子部品１２０までのノイズの伝達経路を、構造物側固定部１１１、足部１１２および電子部品側固定部１１３によって長くすることができる。これによって、電子部品１２０にノイズを伝え難くすることができ、ひいては電子部品１２０の誤作動や故障の発生を防止することができる。
また、電子部品１２０、構造物側固定部１１１、足部１１２および電子部品側固定部１１３の全部を一対の側壁部１０２・１０２の間に配置することができる。これによって、上述の如くノイズの伝達経路を長く確保しながらも、電子部品１２０を取り付けた役物１００全体をコンパクトに構成することができる。
【００４９】
また、本実施形態に係る遊技機１の電子部品取付構造においては、役物１００は非導電性の材料により形成され、前記メッキ加工は、メッキ材１０３が支持部材１１０に接触しないように施されるものである。
すなわち、メッキ材１０３は前壁部１０１の前側面および一対の側壁部１０２・１０２の外側面（役物１００の表面）のみを被覆しており、役物１００の裏面（前壁部１０１および一対の側壁部１０２・１０２の後側面ならびに一対の側壁部１０２・１０２の内側面）は被覆していない。
このため、メッキ材１０３において発生したノイズが支持部材１１０に伝達されるには非伝導性の役物１００を伝達する必要があり、当該ノイズをより電子部品１２０に伝達され難くすることができる。
【００５０】
また、本実施形態に係る遊技機１の電子部品取付構造においては、電子部品側固定部１１３は、電子部品１２０の背後から当該電子部品１２０を覆うように支持するものである。
すなわち、電子部品１２０は、電子部品側固定部１１３の前側面に固定され、当該電子部品側固定部１１３によって背後から覆われている。
これによって、役物１００に衝突する遊技球によって発生するノイズだけでなく、役物１００（支持部材１１０）の背後に配置される部材等からのノイズが電子部品１２０に伝達されることも防止することができる。
また、電子部品１２０は役物１００および支持部材１１０によって周囲を覆われている。このため、電子部品１２０が取り付けられた役物１００を遊技機１に取り付ける際等に、当該役物１００が他の部材に誤って接触しても、他の部材が電子部品１２０に直接接触することがないため、当該電子部品の破損を防止することができる。
【００５１】
なお、本実施形態においては、一対の側壁部１０２・１０２は前壁部１０１の左端部および右端部にそれぞれ設けるものとしたが、一対の側壁部１０２・１０２は、図５に示す如く、前壁部１０１の左端部および右端部から所定距離離れた部分に設けても良い。
また、役物１００の前壁部１０１および一対の側壁部１０２・１０２の形状は板状に限るものではなく、断面視において前壁部１０１および一対の側壁部１０２・１０２によって略コ字状を形成するものであれば良い。
また、本実施形態においては言及していないが、役物１００の上下にも側壁を設け、役物１００全体として後方が開放された箱状の部材を構成しても良い。
また、メッキ加工は役物１００を構成する全ての面、すなわち前壁部１０１および一対の側壁部１０２・１０２の後側面ならびに一対の側壁部１０２・１０２の裏面（左側の側壁部１０２の右側面および右側の側壁部１０２の左側面）にも施しても良い。
また、一対の側壁部１０２・１０２は互いに平行に配置されていなくても良く、前壁部１０１に対して垂直に設けられていなくても良い。
また、役物１００の前壁部１０１および一対の側壁部１０２・１０２は一体的に形成されるものとしたが、それぞれ別部材で形成した後に適宜固定して役物１００を構成しても良い。
また、本発明に係る構造物の実施の一形態を役物１００として説明したが、本発明はこれに限るものではない。すなわち、本発明に係る構造物は、遊技機１を構成するその他の部材（例えば、上皿８、下皿２５、発射ハンドル２６等）であってもよい。この場合、遊技者が当該部材に触れることで静電気等のノイズが発生しても、当該部材の内部に取り付けられた電子部品にノイズが伝達され難くすることができる。なお、この場合、本発明に係る構造物の表面とは、当該構造物を構成する面のうち、当該構造物が遊技機１に取り付けられた際に遊技者から視認され得る面および遊技者に触れられ得る面を指す。また、本発明に係る構造物の裏面とは、当該構造物を構成する面のうち、上述の構造物の表面以外の面を指す。
【００５２】
また、支持部材１１０の構造物側固定部１１１・１１１は、前壁部１０１にそれぞれ固定するものとしたが、一対の側壁部１０２・１０２の内側面のうち前壁部１０１の近傍部分に固定しても良い。このように構成することにより、構造物側固定部１１１・１１１から電子部品側固定部１１３までの距離（足部１１２・１１２の前後方向長さ）を長く確保することができ、役物１００から電子部品１２０にノイズが伝達され難くすることができる。
また、構造物側固定部１１１、足部１１２および電子部品側固定部１１３の形状は板状に限るものではなく、円柱状や角柱状等でも良く、電子部品１２０を役物１００に取り付けることができ、かつ役物１００からのノイズの伝達経路を長く確保することができる形状であれば良い。
また、支持部材１１０は２つの足部１１２により電子部品側固定部１１３を左右から支持（いわゆる、両持ち支持）するものとしたが、１つの足部１１２により電子部品側固定部１１３を支持（いわゆる、片持ち支持）する構成であっても、３つ以上の足部１１２により支持する構成であっても良い。
また、電子部品側固定部１１３は、その前後方向位置が一対の側壁部１０２・１０２の後端と同一位置となるように配置するものとしたが、当該電子部品側固定部１１３の前後方向位置は限定するものではない。すなわち、電子部品側固定部１１３は、一対の側壁部１０２・１０２の後端よりも前方に配置されても、一対の側壁部１０２・１０２の後端よりも後方に配置されても良い。なお、電子部品側固定部１１３が一対の側壁部１０２・１０２の後端よりも後方に配置された場合（図６参照）であっても、電子部品１２０、構造物側固定部１１１、足部１１２および電子部品側固定部１１３のうち一部を一対の側壁部１０２・１０２の間に配置することができ、電子部品１２０を取り付けた役物１００全体をコンパクトに構成することができる。
また、支持部材１１０の構造物側固定部１１１・１１１、足部１１２・１１２および電子部品側固定部１１３は一体的に形成されるものとしたが、それぞれ別部材で形成した後に適宜固定して支持部材１１０を構成しても良い。
【００５３】
また、電子部品１２０は上述のＬＥＤを実装したプリント基板に限るものではなく、遊技機を制御するための制御基板や電気製品に使用されるその他の部品（スイッチ類、スピーカ、モーター等）であっても良い。
【００５４】
また、本実施形態においては役物１００と支持部材１１０とを別部材で構成するものとしたが、役物１００および支持部材１１０を同一材料（非導電性の材料）で一体的に（一部材として）形成しても良い。
【００５５】
以下では、本発明に係る電子部品取付構造の第二実施形態について、図７を用いて説明する。なお、以下では第一実施形態に係る電子部品取付構造（図４参照）と異なる点のみ説明し、同様の構成については説明を省略する。
【００５６】
第二実施形態が第一実施形態と異なる点は、支持部材１１０の足部１１２が役物１００と一体的に形成されている点、および足部１１２の前端部が構造物側固定部１１１を兼ねている点である。以下詳述する。
【００５７】
足部１１２・１１２は板状の部分であり、その板面を左右方向に向けて役物１００の前壁部１０１と一体的に形成される。より詳細には、足部１１２・１１２の一端（前端）は役物１００の前壁部１０１の左右両端部近傍にそれぞれ固定され、他端（後端）はそれぞれ背後（後方）に向かって延設される。この際、足部１１２・１１２は一対の側壁部１０２・１０２と接触することのないように配置される。
【００５８】
電子部品側固定部１１３は板状の部分であり、その板面を前後方向に向けて配置される。電子部品側固定部１１３の両端（左端および右端）は、それぞれビス１３０・１３０により足部１１２・１１２の他端（後端）に固定される。
【００５９】
上述の如く、支持部材１１０の足部１１２・１１２を役物１００側に一体的に構成することも可能である。このように構成する場合、足部１１２・１１２の前端部（役物１００の前壁部１０１との結合部）が本発明に係る構造物側固定部を兼ねることになる。
【００６０】
このように構成することにより、役物１００から電子部品１２０までのノイズの伝達経路を、足部１１２および電子部品側固定部１１３によって長くすることができる。これによって、電子部品１２０にノイズを伝え難くすることができ、ひいては電子部品１２０の誤作動や故障の発生を防止することができる。
【００６１】
なお、足部１１２・１１２の形状は板状に限るものではなく、円柱状や角柱状であっても良い。
【符号の説明】
【００６２】
１：遊技機，１００：役物（構造物），１０１：前壁部，１０２：側壁部，１１０：支持部材，１１１：構造物側固定部，１１２：足部，１１３：電子部品側固定部，１２０：電子部品
【図１】
0005633624.tif 000002
【図２】
0005633624.tif 000003
【図３】
0005633624.tif 000004
【図４】
0005633624.tif 000005
【図５】
0005633624.tif 000006
【図６】
0005633624.tif 000007
【図７】
0005633624.tif 000008